(57)【要約】【課題】可撓性の防煙シートを使用した防煙垂壁において、防煙シートのコーナー部のしわを解消しやすくする。【解決手段】  防煙シート１２のコーナー部１６にコーナー部装着部材１８を装着する。コーナー部連結部材２２はコーナー部装着部材をフレーム１４のコーナー部２０に連結支持する。コーナー部連結部材２２は、フレーム１４のコーナー部２０に対するコーナー部装着部材１８の位置を、フレーム１４のコーナー部２０の２辺のうちの一方の辺の延在方向に止めた状態で他方の辺の延在方向に調節可能でかつ該他方の辺の延在方向に止めた状態で該一方の辺の延在方向に調節可能である。【選択図】図１
2014000328.tif 000002
【特許請求の範囲】
【請求項１】
互いに直交する方向に延在する２辺を有するコーナー部を有する防煙シートの該コーナー部に装着されるコーナー部装着部材と、
互いに直交する方向に延在する２辺を有し、前記防煙シートのコーナー部の周囲に配置されるフレームのコーナー部と、
前記コーナー部装着部材を前記フレームのコーナー部に連結支持するコーナー部連結部材とを具え、
前記コーナー部連結部材は、前記フレームのコーナー部に対する前記コーナー部装着部材の位置を、該フレームのコーナー部の前記２辺のうちの一方の辺の延在方向に止めた状態で他方の辺の延在方向に調節可能でかつ該他方の辺の延在方向に止めた状態で該一方の辺の延在方向に調節可能に、該コーナー部装着部材を該フレームのコーナー部に連結支持する
防煙垂壁の防煙シートコーナー部支持構造。
【請求項２】
前記コーナー部連結部材は、
前記フレームのコーナー部の前記一方の辺と該一方の辺に対面する前記コーナー部装着部材の部分との間に連結されて、ねじ込み量によって該コーナー部装着部材を前記フレームのコーナー部の前記他方の辺の延在方向に移動させる第１のねじ部材と、
前記フレームのコーナー部の前記他方の辺と該他方の辺に対面する前記コーナー部装着部材の部分との間に連結されて、ねじ込み量によって該コーナー部装着部材を前記フレームのコーナー部の前記一方の辺の延在方向に移動させる第２のねじ部材とを具える
請求項１に記載の防煙垂壁の防煙シートコーナー部支持構造。
【請求項３】
前記フレームのコーナー部の前記一方の辺と該一方の辺に対面する前記コーナー部装着部材の部分の少なくとも一方には、前記第１のねじ部材を挿通した状態で、前記コーナー部装着部材が前記フレームのコーナー部の前記一方の辺の延在方向に移動するのを許容する第１の長穴が形成され、
前記フレームのコーナー部の前記他方の辺と該他方の辺に対面する前記コーナー部装着部材の部分の少なくとも一方には、前記第２のねじ部材を挿通した状態で、前記コーナー部装着部材が前記フレームのコーナー部の前記他方の辺の延在方向に移動するのを許容する第２の長穴が形成されている
請求項２に記載の防煙垂壁の防煙シートコーナー部支持構造。
【請求項４】
前記コーナー部装着部材は、前記防煙シートのコーナー部に沿って装着されるＬ字型に屈曲した正面形状を有するＬ字型部材を具えている請求項１〜３のいずれか１つに記載の防煙垂壁の防煙シートコーナー部支持構造。
【請求項５】
正面形状が矩形の防煙シートと、
正面形状が矩形の枠を有し、該枠に前記防煙シートを配置するフレームと、
前記防煙シートの四隅のコーナー部にそれぞれ装着されるコーナー部装着部材と、
前記各コーナー部装着部材を前記フレームの対面するコーナー部にそれぞれ連結支持するコーナー部連結部材とを具え、
前記防煙シートおよび前記フレームのコーナー部に対応する第１乃至第４コーナー部と、該第１乃至第４コーナー部を順次繋ぐ第１乃至第４辺部を有する防煙垂壁において、
第１コーナー部のコーナー部連結部材は、少なくとも該第１コーナー部における前記フレームに対する前記コーナー部装着部材の位置を前記矩形の縦方向に止めた状態で該矩形の横方向に調節可能に、該コーナー部装着部材を該フレームのコーナー部に連結支持し、
第１コーナー部に対角する第３コーナー部のコーナー部連結部材は、少なくとも該第３コーナー部における前記フレームに対する前記コーナー部装着部材の位置を前記矩形の横方向に止めた状態で該矩形の縦方向に調節可能に、該コーナー部装着部材を該フレームのコーナー部に連結支持し、
第２コーナー部のコーナー部連結部材は、該第２コーナー部における前記フレームに対する前記コーナー部装着部材の位置を前記矩形の縦方向に止めた状態で該矩形の横方向に調節可能でかつ該矩形の横方向に止めた状態で該矩形の縦方向に調節可能に、該コーナー部装着部材を該フレームのコーナー部に連結支持する
防煙垂壁。
【請求項６】
第１乃至第４コーナー部のコーナー部連結部材がいずれも、それぞれの配置位置で、前記フレームに対する前記コーナー部装着部材の位置を前記矩形の縦方向に止めた状態で該矩形の横方向に調節可能でかつ該矩形の横方向に止めた状態で該矩形の縦方向に調節可能に、該コーナー部装着部材を該フレームのコーナー部に連結支持する
請求項５に記載の防煙垂壁。
【請求項７】
前記フレームに固定装着されたカバーをさらに具え、該カバーには前記コーナー部連結部材を操作して前記コーナー部装着部材の位置を調整することを可能にする切欠が形成されている請求項５または６に記載の防煙垂壁。
【請求項８】
前記防煙シートの前記第１乃至第４辺部のいずれか１つまたは複数の辺部に装着された辺部装着部材と、
該辺部装着部材を前記フレームの対応する辺部の対面する箇所に連結支持する辺部連結部材をさらに具え、
該辺部連結部材は、前記フレームの前記対応する辺部に対する前記辺部装着部材の位置を、該フレームの該対応する辺部の延在方向に止めた状態で、該フレームの該対応する辺部に直交する該フレームの辺部の延在方向に調節可能に、該辺部装着部材を該フレームの該対応する辺部に連結支持する
請求項５または６に記載の防煙垂壁。
【請求項９】
前記辺部装着部材が、前記防煙シートの４つの辺部のうち、相互に対向する辺部の相互に対向する位置にそれぞれ装着されている請求項８に記載の防煙垂壁。
【発明の詳細な説明】
【技術分野】
【０００１】
この発明は可撓性の防煙シートを使用した防煙垂壁において、防煙シートのコーナー部を支持する構造および該支持構造を利用した防煙垂壁に関し、防煙シートのコーナー部のしわを解消しやすくしたものである。
【背景技術】
【０００２】
可撓性の防煙シートを使用した防煙垂壁は、ガラス板を使用した防煙垂壁に比べて、地震等で落下したときの安全性が高い反面、しわが生じて見栄えを悪くする問題がある。下記特許文献１には防煙シートにテンションをかけてしわを解消する技術が開示されている。これは防煙シートの長手方向（水平方向）の両端部を端部保持具にそれぞれ保持し、該両方の端部保持具で防煙シートを長手方向に引っ張ってテンションをかけるとともに、該防煙シートの短手方向（垂直方向）の両端部をレールにそれぞれ保持し、該両レール間に板ばねの両端部を固定し、該板ばねで上下両レール間に拡開する力を作用させて、防煙シートに短手方向のテンションをかけることにより、防煙シートをしわの無い状態に張るようにしたものである。端部保持具で防煙シートを長手方向に引っ張る構造は、防煙シートの左右両辺部にシート取付用筒体を装着し、該シート取付用筒体にボルトを外向きに装着し、該ボルトの脚部を壁面に支持された保持具本体のねじ穴にねじ込んで、防煙シートをシート取付用筒体およびボルトを介して保持具本体に支持する構造で構成される。保持具本体に対するボルトのねじ込み量を調整することにより、防煙シートの長手方向のテンションを調整することができる。ボルトはカバーで覆い隠されており、テンションの調整を行うときはカバーを外してボルトを操作する。
【０００３】
下記特許文献２にはシート状物で構成された看板やテント、カーテン、間仕切り等をしわのない状態に張る技術が開示されている。これはシート状物の辺部に沿って適宜の間隔で保持具を装着し、各保持部にボルトを外向きに装着し、ボルトの脚部を架台に支持されたフレームの穴に差し込み、該脚部にナットを装着することにより、シート状物の辺部を保持具およびボルト・ナットを介してフレームに支持したものである。ボルトに対するナットのねじ込み量を調整することにより、シート状物のテンションを調整することができる。ボルト・ナットはカバーで覆い隠されており、テンションの調整を行うときはカバーを外してナットを操作する。
【０００４】
下記特許文献３にはポスター用のテンションパネルが開示されている。これはポスターの各コーナー部にＬ字型のコーナー金具をそれぞれ装着し、ポスターを張る枠を構成するフレームの四隅と各コーナー金具の角とをコイルばねでそれぞれ連結してポスターのコーナー部相互間にテンションをかけることにより、ポスターをしわの無い状態に張るようにしたものである。
【先行技術文献】
【特許文献】
【０００５】
【特許文献１】特開２００８−２２０５０８号公報（図１、図２、図４）
【特許文献２】特開２００３−２０６６５１号公報（図１）
【特許文献３】特開平０７−２９５４９１号公報（図１、図２）
【発明の概要】
【発明が解決しようとする課題】
【０００６】
特許文献１に記載のテンション付与構造によれば、防煙シートのコーナー部にしわが生じやすかった。これに対し特許文献３に記載のテンション付与構造によれば、特許文献１に記載のテンション付与構造に比べてシートのコーナー部にしわを生じにくくさせることができるが、フレームの角とコーナー金具の角を結ぶ方向にしかシートを引っ張ることができず、引っ張る方向を調整できないので、コーナー部のしわを十分に解消することができない場合が生じた。また特許文献１，２に記載のテンション付与構造によれば、カバーを外さないとテンションを調整することができなかった。
【０００７】
この発明は上記従来の技術における問題点を解決して、防煙シートのコーナー部のしわを解消しやすくした防煙シートのコーナー部の支持構造および該支持構造を利用した防煙垂壁を提供しようとするものである。
【課題を解決するための手段】
【０００８】
この発明の防煙シートのコーナー部の支持構造は、互いに直交する方向に延在する２辺を有するコーナー部を有する防煙シートの該コーナー部に装着されるコーナー部装着部材と、互いに直交する方向に延在する２辺を有し、前記防煙シートのコーナー部の周囲に配置されるフレームのコーナー部と、前記コーナー部装着部材を前記フレームのコーナー部に連結支持するコーナー部連結部材とを具え、前記コーナー部連結部材は、前記フレームのコーナー部に対する前記コーナー部装着部材の位置を、該フレームのコーナー部の前記２辺のうちの一方の辺の延在方向に止めた状態で他方の辺の延在方向に調節可能でかつ該他方の辺の延在方向に止めた状態で該一方の辺の延在方向に調節可能に、該コーナー部装着部材を該フレームのコーナー部に連結支持するものである。これによれば防煙シートの１つのコーナー部に装着されたコーナー部装着部材をコーナー部連結部材により２方向に独立に引っ張ることができるので、防煙シートのコーナー部の引っ張り方向を該２方向の引っ張り力の合成方向に設定ことができる。したがって防煙シートのコーナー部を引っ張る方向を調整することができ、これにより防煙シートのコーナー部のしわが解消しやすくなる。
【０００９】
この発明の支持構造において、前記コーナー部連結部材は、前記フレームのコーナー部の前記一方の辺と該一方の辺に対面する前記コーナー部装着部材の部分との間に連結されて、ねじ込み量によって該コーナー部装着部材を前記フレームのコーナー部の前記他方の辺の延在方向に移動させる第１のねじ部材と、前記フレームのコーナー部の前記他方の辺と該他方の辺に対面する前記コーナー部装着部材の部分との間に連結されて、ねじ込み量によって該コーナー部装着部材を前記フレームのコーナー部の前記一方の辺の延在方向に移動させる第２のねじ部材とを具えることができる。これによれば第１のねじ部材と第２のねじ部材のねじ込み量によって防煙シートの１つのコーナー部の引っ張る方向を調整することができる。この場合前記フレームのコーナー部の前記一方の辺と該一方の辺に対面する前記コーナー部装着部材の部分の少なくとも一方には、前記第１のねじ部材を挿通した状態で、前記コーナー部装着部材が前記フレームのコーナー部の前記一方の辺の延在方向に移動するのを許容する第１の長穴が形成され、前記フレームのコーナー部の前記他方の辺と該他方の辺に対面する前記コーナー部装着部材の部分の少なくとも一方には、前記第２のねじ部材を挿通した状態で、前記コーナー部装着部材が前記フレームのコーナー部の前記他方の辺の延在方向に移動するのを許容する第２の長穴が形成されているものとすることができる。これによれば、第１のねじ部材、第２のねじ部材の一方のねじ部材のねじ込み量を調整しているときに、他方のねじ部材は長穴に沿って移動することができるので、互いのねじ込み動作を阻害することなくねじ込み量を調整することができる。
【００１０】
この発明の支持構造において、前記コーナー部装着部材は、前記防煙シートのコーナー部に沿って装着されるＬ字型に屈曲した正面形状を有するＬ字型部材を具えることができる。これによればコーナー部装着部材を防煙シートのコーナー部に沿って配置できるので、狭幅のフレーム、カバー等でコーナー部装着部材を覆い隠すことができ、意匠性を良好にすることができる。
【００１１】
この発明の防煙垂壁は、コーナー部にこの発明の支持構造を適用したもので、正面形状が矩形の防煙シートと、正面形状が矩形の枠を有し、該枠に前記防煙シートを配置するフレームと、前記防煙シートの四隅のコーナー部にそれぞれ装着されるコーナー部装着部材と、前記各コーナー部装着部材を前記フレームの対面するコーナー部にそれぞれ連結支持するコーナー部連結部材とを具え、前記防煙シートおよび前記フレームのコーナー部に対応する第１乃至第４コーナー部と、該第１乃至第４コーナー部を順次繋ぐ第１乃至第４辺部を有する防煙垂壁において、第１コーナー部のコーナー部連結部材は、少なくとも該第１コーナー部における前記フレームに対する前記コーナー部装着部材の位置を前記矩形の縦方向に止めた状態で該矩形の横方向に調節可能に、該コーナー部装着部材を該フレームのコーナー部に連結支持し、第１コーナー部に対角する第３コーナー部のコーナー部連結部材は、少なくとも該第３コーナー部における前記フレームに対する前記コーナー部装着部材の位置を前記矩形の横方向に止めた状態で該矩形の縦方向に調節可能に、該コーナー部装着部材を該フレームのコーナー部に連結支持し、第２コーナー部のコーナー部連結部材は、該第２コーナー部における前記フレームに対する前記コーナー部装着部材の位置を前記矩形の縦方向に止めた状態で該矩形の横方向に調節可能でかつ該矩形の横方向に止めた状態で該矩形の縦方向に調節可能に、該コーナー部装着部材を該フレームのコーナー部に連結支持するものである。これによればこの発明の支持構造を利用して防煙シートのコーナー部のしわを解消することができる。
【００１２】
この発明の防煙垂壁は例えば、全てのコーナー部にこの発明の支持構造を適用して、第１乃至第４コーナー部のコーナー部連結部材がいずれも、それぞれの配置位置で、前記フレームに対する前記コーナー部装着部材の位置を前記矩形の縦方向に止めた状態で該矩形の横方向に調節可能でかつ該矩形の横方向に止めた状態で該矩形の縦方向に調節可能に、該コーナー部装着部材を該フレームのコーナー部に連結支持するものとすることができる。あるいはこの発明の防煙垂壁は一部のコーナー部にのみこの発明の支持構造を適用することもできる。
【００１３】
この発明の防煙垂壁は前記フレームに固定装着されたカバーをさらに具え、該カバーには前記コーナー部連結部材を操作して前記コーナー部装着部材の位置を調整することを可能にする切欠が形成されているものとすることができる。これによればカバーにより意匠性を向上させることができ、しかもカバーを装着した状態でコーナー部装着部材の位置を調整することができる。
【００１４】
この発明の防煙垂壁は前記防煙シートの前記第１乃至第４辺部のいずれか１つまたは複数の辺部に装着された辺部装着部材と、該辺部装着部材を前記フレームの対応する辺部の対面する箇所に連結支持する辺部連結部材をさらに具え、該辺部連結部材は、前記フレームの前記対応する辺部に対する前記辺部装着部材の位置を、該フレームの該対応する辺部の延在方向に止めた状態で、該フレームの該対応する辺部に直交する該フレームの辺部の延在方向に調節可能に、該辺部装着部材を該フレームの該対応する辺部に連結支持するものとすることができる。これによれば辺部連結部材で辺部装着部材の位置を調整することにより防煙シートの辺部のしわを解消することができる。この場合前記辺部装着部材は例えば、前記防煙シートの４つの辺部のうち、相互に対向する辺部の相互に対向する位置にそれぞれ装着することができる。
【図面の簡単な説明】
【００１５】
【図１】４つのコーナー部の全てにこの発明による防煙シートコーナー部支持構造を具えたこの発明による防煙垂壁の実施の形態を示す正面図（図２の上側から見た図。ただし図２に符号１４ａ，１４ｃで示す面を除去した状態で示す）である。
【図２】図１の防煙垂壁のＩ−Ｉ矢視模式端面図およびＩＩ−ＩＩ矢視模式端面図である。
【図３】図１の防煙垂壁１０のコーナー部の構造を示す分解斜視図である。
【図４】図３のコーナー部の構造を組み立てた状態を示す正面図で、図５のＩＶ−ＩＶ矢視位置の断面図である。
【図５】図３のコーナー部の構造を組み立てた状態を示す図で、図４のＩＩＩ−ＩＩＩ矢視位置の断面図である。
【図６】図１の防煙垂壁１０の辺部の構造を示す分解斜視図である。
【図７】図６の辺部の構造を組み立てた状態を示す正面図で、図８のＶＩ−ＶＩ矢視位置の断面図である。
【図８】図７の辺部の構造を組み立てた状態を示す図で、図７のＶ−Ｖ矢視位置の断面図である。
【図９】図３のコーナー部の構造の変形例を示す分解斜視図で、テンション調整ねじ２２をフレーム１４に対して移動可能に配置するのに代えて、テンション調整ねじ２２をコーナー部装着部材１８に対して移動可能に配置したものである。
【図１０】図９のコーナー部の構造を組み立てた状態を示す正面図で、図５と同じ矢視位置の断面図である。
【図１１】４つのコーナー部の第２コーナー部Ｃ２にのみこの発明による防煙シートコーナー部支持構造を具えたこの発明による防煙垂壁の実施の形態を示す正面図である。
【発明を実施するための形態】
【００１６】
この発明の実施の形態を以下説明する。図１はこの発明による防煙シートコーナー部支持構造を具えた防煙垂壁１０を示す。なお図１はフレーム１４の構造のうち、図２に符号１４ａ，１４ｃで示す面を除去した状態で示している。防煙垂壁１０は正面形状が矩形の防煙シート１２と、正面形状が矩形の枠を有し、該枠に防煙シート１２を配置したフレーム１４を具えている。防煙シート１２は４つの辺部２４と４つのコーナー部１６を具えている。各コーナー部１６は互いに直交する方向に延在する２辺２４，２４の端部どうしの組み合わせで構成される。フレーム１４は４つの辺部２８と４つのコーナー部２０を具えている。各コーナー部２０は互いに直交する方向に延在する２辺２８，２８の端部どうしの組み合わせで構成される。防煙垂壁１０の第１乃至第４コーナー部Ｃ１〜Ｃ４には防煙シート１２の四隅のコーナー部１６をフレーム１４の対面するコーナー部２０に連結する構造が構成されている。すなわち防煙シート１２の四隅のコーナー部１６にはコーナー部装着部材１８がそれぞれ装着され、各コーナー部装着部材１８はフレーム１４の対面するコーナー部２０にコーナー部連結部材２２でそれぞれ連結支持されている。コーナー部装着部材１８およびコーナー部連結部材２２は４箇所のコーナー部Ｃ１〜Ｃ４とも同一構造である。ここではコーナー部連結部材２２は２本のねじ（テンション調整ねじ）２２−１，２２−２で構成されている。第１コーナー部Ｃ１の上側のテンション調整ねじ２２−１と第２コーナー部Ｃ２の下側のテンション調整ねじ２２−１は互いに対向して配置されている。第４コーナー部Ｃ４の上側のテンション調整ねじ２２−１と第３コーナー部Ｃ３の下側のテンション調整ねじ２２−１は互いに対向して配置されている。第１コーナー部Ｃ１の左側のテンション調整ねじ２２−２と第４コーナー部Ｃ４の右側のテンション調整ねじ２２−２は互いに対向して配置されている。第２コーナー部Ｃ２の左側のテンション調整ねじ２２−２と第３コーナー部Ｃ３の右側のテンション調整ねじ２２−２は互いに対向して配置されている。
【００１７】
防煙垂壁１０の第１乃至第４コーナー部Ｃ１〜Ｃ４の間の辺部Ｓ１〜Ｓ４の各中央位置には防煙シート１２の辺部２４をフレーム１４の対面する辺部２８の対面する位置に連結する構造が構成されている。すなわち防煙シート１２の４つの辺部２４の各中央位置には辺部装着部材２６がそれぞれ装着され、各辺部装着部材２６はフレーム１４の対面する辺部２８の中央位置に辺部連結部材３０でそれぞれ連結支持されている。辺部装着部材２６および辺部連結部材３０は４箇所の辺部Ｓ１〜Ｓ４とも同一構造である。ここでは辺部連結部材３０は１本のねじ（テンション調整ねじ）で構成されている。第１辺部Ｓ１のテンション調整ねじ３０と第３辺部Ｓ３のテンション調整ねじ３０は互いに対向して配置されている。第２辺部Ｓ２のテンション調整ねじ３０と第４辺部Ｓ４のテンション調整ねじ３０は互いに対向して配置されている。
【００１８】
フレーム１４の外周面にはカバー３２がビス３４によって固定装着されている。防煙垂壁１０の前面側から見た寸法は例えば長手方向（図１の横方向）の長さが１５００ｍｍ、短手方向（図１の縦方向）の長さが５００ｍｍである。ここでは第４辺部Ｓ４を上側、第２辺部Ｓ２を下側に配置して使用するものとする。防煙垂壁１０は例えば、従来の防煙垂壁と同様に、屋内の天井に設置されたレールに上辺部Ｓ４が吊り下げ支持される。複数の防煙垂壁１０を横方向に連結する場合は、隣接する防煙垂壁１０，１０どうしの突き合わせ面を構成する側辺部Ｓ１，Ｓ３間に天井から吊り金具を垂直に吊り下げ、該吊り金具の下端部に受け金具を取り付け、隣接する防煙垂壁１０，１０の下辺部Ｓ２，Ｓ２の突き合わされる端部どうしを受け金具の凹所で受けて相互に連結する。
【００１９】
防煙垂壁１０の各部の詳細について説明する。防煙シート１２は例えばガラス繊維織物を樹脂フィルムで挟み込んで一体化した可撓性の複合シートで構成される。フレーム１４は例えば図２に示すように、断面コ字型の４本のアルミ型材を該断面コ字の開口をフレーム１４の枠が構成する面の一面側（図２では下面側）に開口させた向きにそれぞれ配置して、正面形状を長四辺形に組んで相互に連結して全体が剛性に構成される。フレーム１４の外壁面部１４ｂ（防煙垂壁１０の面に直角な面）の高さｈ１は内壁面部１４ａ（防煙垂壁１０の面に直角な面すなわち外壁面部１４ｂに平行な面）の高さｈ２よりも高い。防煙シート１２はフレーム１４の外壁面部１４ｂで囲まれた開口部３３内に配置される。つまり外壁面部１４ｂは防煙シート１２の外方に配置される。防煙シート１２の縦方向、横方向の長さａは、フレーム１４の外壁面部１４ｂで囲まれた開口部３３の長さｂよりも短い。これにより防煙シート１２を、外壁面部１４ｂに支持して、開口部３３内で張った状態に展張することができる。防煙シート１２の縦方向、横方向の長さａは、フレーム１４の内壁面部１４ａで囲まれた開口部３５の長さｃよりも長い。これにより防煙シート１２の外周縁部およびコーナー部装着部材１８および辺部装着部材２６（図１）の一面側をフレーム１４の内壁面部１４ａおよび側面部１４ｃ（防煙垂壁１０の面に平行な面）で覆い隠して、防煙垂壁１０の外観を良くすることができる。また防煙シート１２の外周縁部とフレーム１４とが重なり合うので、防煙シート１２の周縁部から煙が漏れるのを抑制することができる。
【００２０】
カバー３２は例えば図２に示すように、断面Ｌ字型の４本のアルミ型材をフレーム１４の断面コ字の開口に対面させて、フレーム１４の外側を取り囲むように配置して、正面形状を長四辺形に組んで相互に連結して全体が剛性に構成される。フレーム１４とカバー３２とは、相互に重なる外壁面部１４ｂ，３２ｂどうしを、両型材の長手方向に適宜の間隔で、外側からビス３４（図１）をねじ込んで相互に連結される。カバー３２の側面部３２ａ（外壁面部３２ｂに直角な面すなわち防煙垂壁１０の面に平行な面）の内端部で囲まれた開口部３７の長さｄはフレーム１４の内壁面部１４ａで囲まれた開口部３５の長さｃと等しいかまたはほぼ等しい。これにより防煙シート１２の外周縁部およびコーナー部装着部材１８および辺部装着部材２６（図１）の他面側をカバー３２の側面部３２ａで覆い隠して、防煙垂壁１０の外観を良くすることができる。また防煙シート１２の外周縁部とカバー３２とが重なり合うので、防煙シート１２の周縁部から煙が漏れるのを抑制することができる。防煙垂壁１０の厚さｅはフレーム１４とカバー３２を組み合わせた厚さであり、例えば８ｍｍである。
【００２１】
防煙垂壁１０のコーナー部の構造を図３に分解して示す。コーナー部装着部材１８は断面Ｌ字型でかつ正面形状がＬ字型の受け金具３６（Ｌ字型部材）と、正面形状がＬ字型で平板状の押さえ金具３８（Ｌ字型部材）を具える。受け金具３６は底面部３６ａと立面部３６ｂを有する。底面部３６ａの上に防煙シート１２のコーナー部１６を載せて、その上に押さえ金具３８を載せて、ビス４０を押さえ金具３８の穴（ねじ通し穴）４２から防煙シート１２の穴４４に通して受け金具３６のねじ穴（雌ねじ）４６にねじ込むことにより、防煙シート１２のコーナー部１６にコーナー部装着部材１８が装着される。受け金具３６の底面部３６ａと防煙シート１２のコーナー部１６の対向面どうし、押さえ金具３８と防煙シート１２のコーナー部１６の対向面どうしのいずれか一方または両方を両面接着テープで接合したうえでビス４０で締め付けて装着することもできる。
【００２２】
フレーム１４のコーナー部２０の外壁面部１４ｂには、コーナーの頂点を挟んで両側の対称位置に所定長さの長穴（ねじ通し穴）４８が外壁面部１４ｂの延在方向に沿って開設されている。各長穴４８には外側からテンション調整ねじ２２−１，２２−２（コーナー部連結部材）が自在に差し込まれ、コーナー部装着部材１８の受け金具３６の立面部３６ｂに形成されたねじ穴（雌ねじ）５２にねじ込まれる。長穴４８の幅（短手方向の長さ）はテンション調整ねじ２２の脚部２２ａの直径よりも広くかつ頭部２２ｂよりも狭い。したがってテンション調整ねじ２２は、頭部２２ｂが長穴４８の短手方向の両側の外面で係止される。これによりコーナー部装着部材１８は、フレーム１４のコーナー部２０の外壁面部１４ｂに対し接近、離隔可能に、該外壁面部１４ｂに支持される。テンション調整ねじ２２を受け金具３６のねじ穴５２にねじ込んでいくと、コーナー部装着部材１８は防煙シート１２のテンションに抗してフレーム１４の外壁面部１４ｂに接近する方向に移動し、その結果防煙シート１２のテンションはは強められる。逆にテンション調整ねじ２２を緩めると、コーナー部装着部材１８は防煙シート１２のテンションによりフレーム１４の外壁面部１４ｂから離れる方向に移動し、その結果防煙シート１２のテンションは弱められる。このようにして防煙シート１２のコーナー部を含む周縁部のテンションが調整される。テンション調整ねじ２２は１つのコーナー部２０の相互に直交する２面に配置されているので、防煙シート１２のテンションを直交する２方向（防煙垂壁１０の縦方向と横方向）について個別に調整することができる。これにより防煙シート１２のコーナー部１６の引っ張り方向を該２方向の引っ張り力の合成方向に設定ことができる。４箇所のコーナー部２０でこの調整を適宜行うことにより、防煙シート１２の各コーナー部１６のしわを容易に解消することができる。一方のテンション調整ねじ２２を調整しているときに、他方のテンション調整ねじ２２は長穴４８に沿って移動することができる。すなわち２個のテンション調整ねじ２２−１，２２−２で構成されるコーナー部連結部材２２は、フレーム１４のコーナー部２０の外壁面部１４ｂに対するコーナー部装着部材１８の位置（フレーム１４の枠が構成する面に沿った方向の位置）を、フレーム１４のコーナー部２０の外壁面部１４ｂを構成する２辺のうちの一方の辺に接近、離隔する方向に止めた状態で他方の辺に接近、離隔する方向に調整可能で、かつ該他方の辺に接近、離隔する方向に止めた状態で一方の辺に接近、離隔する方向に調整可能に、コーナー部装着部材１８をフレーム１４のコーナー部２０に連結支持している。押さえ金具３８にはテンション調整ねじ２２が進入するのを除けて、テンション調整ねじ２２の脚部２２ａと押さえ金具３８とが干渉するのを防止する切欠５４が形成されている。このようにテンション調整ねじ２２と押さえ金具３８とを防煙垂壁１０の厚さ方向に互いに重なる位置に配置することにより、防煙垂壁１０の厚みを薄く抑えている。
【００２３】
フレーム１４には外側からカバー３２が被せられ、カバー３２の外側からビス３４をカバー３２の外壁面部３２ｂ（防煙垂壁１０の面に直角な面）の穴（ねじ通し穴）５６からフレーム１４の外壁面部１４ｂのねじ穴（雌ねじ）５８にねじ込むことにより、フレーム１４とカバー３２が相互に連結される。カバー３２の外壁面部３２ｂには、カバー３２の外からテンション調整ねじ２２を操作できるように切欠６０が形成されている。切欠６０はテンション調整ねじ２２が長穴４８に沿って移動するのを邪魔しないように横長に形成されている。
【００２４】
図３のコーナー部の構造を組み立てた状態を図４、図５に示す。図４は正面図で、図５のＩＶ−ＩＶ矢視位置の断面図である。図５は図４のＩＩＩ−ＩＩＩ矢視位置の断面図である。テンション調整ねじ２２−１，２２−２を回すとコーナー部装着部材１８はフレーム１４およびカバー３２に対し、相互に直交する方向Ｘ，Ｙに独立に移動する。テンション調整ねじ２２−１，２２−２の締め込み量で防煙シート１２のテンションを調整してコーナー部のしわを解消することができる。図５に示すフレーム１４の内壁面部１４ａの下端部と防煙シート１２との間の隙間ｇ１、カバー３２の側面部３２ａの先端部と防煙シート１２との間の隙間ｇ２の一方または両方を狭くすることにより、防煙シート１２の周縁部から煙が漏れるのを抑制することができる。
【００２５】
防煙垂壁１０の辺部の構造を図６に分解して示す。辺部装着部材２６は断面Ｌ字型でかつ正面形状がＩ字型の受け金具６２と、正面形状がＩ字型で平板状の押さえ金具６４を具える。受け金具６２は底面部６２ａと立面部６２ｂを有する。底面部６２ａの上に防煙シート１２の辺部２４を載せて、その上に押さえ金具６４を載せて、ビス６６を押さえ金具６４の穴（ねじ通し穴）６８から防煙シート１２の穴７０に通して受け金具６２のねじ穴（雌ねじ）７２にねじ込むことにより、防煙シート１２の辺部２４に辺部装着部材２６が装着される。受け金具６２の底面部６２ａと防煙シート１２との対向面どうし、押さえ金具６４と防煙シート１２との対向面どうしのいずれか一方または両方を両面接着テープで接合したうえでビス６６で締め付けて装着することもできる。フレーム１４の辺部２８の外壁面部１４ｂには、前記コーナー部の長穴４８と同じ長さの長穴（ねじ通し穴）７４が外壁面部１４ｂの延在方向に沿って開設されている。長穴７４には外側からテンション調整ねじ３０（辺部連結部材）が自在に差し込まれ、辺部装着部材２６の受け金具６２の立面部６２ｂに形成されたねじ穴（雌ねじ）７６にねじ込まれる。長穴７４の幅（短手方向の長さ）はテンション調整ねじ３０の脚部３０ａの直径よりも広く頭部３０ｂよりも狭い。したがってテンション調整ねじ３０は、頭部３０ｂが長穴７４の短手方向の両側の外面で係止される。これにより辺部装着部材２６は、フレーム１４の辺部２８の外壁面部１４ｂに対し接近、離隔可能に、該外壁面部１４ｂに支持される。テンション調整ねじ３０を受け金具６２のねじ穴７６にねじ込んでいくと、辺部装着部材２６は防煙シート１２のテンションに抗してフレーム１４の外壁面部１４ｂに接近する方向に移動し、その結果防煙シート１２のテンションは強められる。逆にテンション調整ねじ３０を緩めると、コーナー部装着部材１８は防煙シート１２のテンションによりフレーム１４の外壁面部１４ｂから離れる方向に移動し、その結果防煙シート１２のテンションは弱められる。このようにして防煙シート１２の長手方向および短手方向の中間部のテンションが調整される。ここではテンション調整ねじ３０は相互に対向する第１辺部Ｓ１、第３辺部Ｓ３の相互に対向する位置、相互に対向する第２辺部Ｓ２、第４辺部Ｓ４の相互に対向する位置（図１の例では辺部Ｓ１〜Ｓ４の各中央位置）にそれぞれ配置されている。これにより防煙シート１２の辺部２４の中央位置で、防煙シート１２の長手方向および短手方向のテンションを個別に調整して、防煙シート１２の各辺部２４のしわを容易に解消することができる。テンション調整ねじ２２−２の締め込み量で防煙シート１２の長手方向のテンションを調整しているときに、第２辺部Ｓ２、第４辺部Ｓ４のテンション調整ねじ３０，３０は長穴７４に沿って移動することができる。またテンション調整ねじ２２−１の締め込み量で防煙シート１２の短手方向のテンションを調整しているときに、第１辺部Ｓ１、第３辺部Ｓ３のテンション調整ねじ３０，３０は長穴７４に沿って移動することができる。押さえ金具６４にはテンション調整ねじ３０が進入するのを除けて、テンション調整ねじ３０の脚部３０ａと押さえ金具６４とが干渉するのを防止する切欠７８が形成されている。このようにテンション調整ねじ３０と押さえ金具６４とを防煙垂壁１０の厚さ方向に互いに重なる位置に配置することにより、防煙垂壁１０の厚みを薄く抑えている。カバー３２の外壁面部３２ｂには、カバー３２の外からテンション調整ねじ３０を操作できるように切欠８０が形成されている。切欠８０はテンション調整ねじ３０が長穴７４に沿って移動するのを邪魔しないように横長に形成されている。
【００２６】
図６の辺部の構造を組み立てた状態を図７、図８に示す。図７は正面図で、図８のＶＩ−ＶＩ矢視位置の断面図である。図８は図７のＶ−Ｖ矢視位置の断面図である。テンション調整ねじ３０を回すと辺部装着部材２６はフレーム１４およびカバー３２に対し移動し、テンション調整ねじ３０の締め込み量で防煙シート１２の辺部２４のテンションを調整して辺部のしわを解消することができる。
【００２７】
前記実施の形態ではフレーム１４に長穴４８，７４を形成してテンション調整ねじ２２，３０をフレーム１４に対して移動可能に配置して防煙シート１２のテンションを調整するようにしたが、これに代えて、コーナー部装着部材１８、辺部装着部材２６に長穴（ねじ通し穴）を形成してテンション調整ねじ２２，３０をコーナー部装着部材１８、辺部装着部材２６に対し移動可能に配置して防煙シート１２のテンションを調整することもできる。コーナー部についてそのように構成した一例を図９、図１０に示す。図９、図１０において図３、図５と共通する部分には同一の符号を用いる。コーナー部装着部材１８の受け金具３６には図３のねじ穴５２に代えて、テンション調整ねじ２２が自在に差し込まれる長穴（ねじ通し穴）５２’が形成される。フレーム１４には図３の長穴４８に代えて、テンション調整ねじ２２を通す穴４８’が形成される。カバー３２には図３の横長に形成された切欠６０に代えて、縦横同じ程度の長さの切欠６０’が形成される。テンション調整ねじ２２は穴４８’から長穴５２’に通されて、別途用意された金属プレート８４のねじ穴（雌ねじ）８２にねじ込まれる。金属プレート８４はテンション調整ねじ２２とともに受け金具３６の長穴５２’に沿って移動可能であるが、受け金具３６に対し回転不能である。したがって金属プレート８４のねじ穴８２に対するテンション調整ねじ２２のねじ込み量に応じてコーナー部装着部材１８はフレーム１４のコーナー部２０の外壁面部１４ｂに対し接近、離隔し、これにより防煙シート１２のテンションを調整することができる。押さえ金具３８の切欠５４’は金属プレート８４が受け金具３６上で移動できるように、図３の切欠５４よりも広幅に形成されている。辺部についても、コーナー部の構成を図３から図９に変更したのに倣って、図６の構成から同様に変更することができる。
【００２８】
また前記実施の形態では４隅のコーナー部の全てにこの発明による支持構造を適用したが、この発明の防煙垂壁はこれに限らない。図１１の防煙垂壁８６は４つのコーナー部Ｃ１〜Ｃ４のうち第２コーナー部Ｃ２にのみこの発明による支持構造を適用したものである。図１１において図１と対応する部分には同一の符号を用いる。各コーナー部Ｃ１〜Ｃ４のコーナー部装着部材１８および各辺部Ｓ１〜Ｓ４の辺部装着部材２６が移動できる方向を図１１に矢印Ｘ，Ｙでそれぞれ示す。前記図１の防煙垂壁１０は、各コーナー部Ｃ１〜Ｃ４のコーナー部装着部材１８および各辺部Ｓ１〜Ｓ４の辺部装着部材２６がいずれもＸ，Ｙ両方向に移動することができるものであるが、図１１の防煙垂壁８６は部位によって移動方向が限定されている。すなわち図１１において、第４コーナー部Ｃ４のコーナー部装着部材１８は２方向のねじ８８，９０によってフレーム１４に固定され、Ｘ，Ｙいずれの方向にも移動しない。第４辺部Ｓ４の辺部装着部材２６はねじ９２によってフレーム１４の上辺にＸ方向に移動可能に支持されている。第１コーナー部Ｃ１のコーナー部装着部材１８の上辺はねじ９４によってフレーム１４の上辺にＸ方向に移動可能に支持されている。これら第４辺部Ｓ４の辺部装着部材２６および第１コーナー部Ｃ１のコーナー部装着部材１８は、第１コーナー部Ｃ１のテンション調整ねじ２２−２が操作されたときにＸ方向に移動する。第３辺部Ｓ３の辺部装着部材２６はねじ９６によってフレーム１４の右辺にＹ方向に移動可能に支持されている。第３コーナー部Ｃ３のコーナー部装着部材１８の右辺はねじ９８によってフレーム１４の右辺にＹ方向に移動可能に支持されている。これら第３辺部Ｓ３の辺部装着部材２６および第３コーナー部Ｃ３のコーナー部装着部材１８は、第３コーナー部Ｃ３のテンション調整ねじ２２−１が操作されたときにＹ方向に移動する。第１辺部Ｓ１、第２コーナー部Ｃ２、第２辺部Ｓ２の支持構造は図１のそれぞれ対応する部分の構造と同じである。したがって第１辺部Ｓ１の辺部装着部材２６は第１辺部Ｓ１のテンション調整ねじ３０によりＸ方向に移動し、第２コーナー部Ｃ２のテンション調整ねじ２２−１によりＹ方向に移動する。また第２コーナー部Ｃ２のコーナー部装着部材１８は第２コーナー部Ｃ２のテンション調整ねじ２２−２によりＸ方向に移動し、第２コーナー部Ｃ２のテンション調整ねじ２２−１によりＹ方向に移動する。また第３辺部Ｓ３の辺部装着部材２６は第３辺部Ｓ３のテンション調整ねじ３０によりＹ方向に移動し、第２コーナー部Ｃ２のテンション調整ねじ２２−２によりＸ方向に移動する。このようにして、図１１の防煙垂壁８６によれば、６個のテンション調整ねじ２２−１，２２−２により防煙シート１２の各部のテンションを調整して、しわを解消することができる。ねじ９２，９４，９６，９８は、テンション調整ねじ２２，３０と同様にフレーム１４の外壁面部１４ｂに形成した長穴４８，７４（図３、図６）に通すことにより、フレーム１４に沿って移動させることができる。ねじ８８，９０，９２，９４，９６，９８はテンション調整ねじでないので、その位置のカバー３２にはテンション調整を可能にするための切欠６０，８０を形成する必要はない。また第１コーナー部Ｃ１のテンション調整ねじ２２−２は上下方向に移動しないので、該テンション調整ねじ２２−２を通すためにフレーム１４の外壁面部１４ｂに形成する穴は長穴（図３の長穴４８に相当）である必要はなく、丸穴（ねじ通し穴）でよい。同様に第３コーナー部Ｃ３のテンション調整ねじ２２−１は左右方向に移動しないので、該テンション調整ねじ２２−１を通すためにフレーム１４の外壁面部１４ｂに形成する穴は長穴（図３の長穴４８に相当）である必要はなく、丸穴（ねじ通し穴）でよい。
【００２９】
また図１１の構造に代えて、４箇所のコーナー部装着部材１８および４箇所の辺部装着部材２６のうち、第１コーナー部Ｃ１、第４辺部Ｓ４、第４コーナー部Ｃ４の３箇所の装着部材１８，２６をＸ方向にのみ移動可能に支持し、残りの５箇所の装着部材１８，２６を全てＸ，Ｙ両方向に移動可能に支持することもできる。この場合は第２コーナー部Ｃ２および第３コーナー部Ｃ３にこの発明による支持構造を適用できる。
【００３０】
また前記各実施の形態では４つの辺部Ｓ１〜Ｓ４の全てで防煙シート１２に辺部装着部材２６を装着してテンションをかけたが、防煙シート１２の辺部２４にしわが生じない場合は辺部装着部材２６を省略することができる。また防煙シート１２の辺部２４が長く、辺部２４の１箇所に装着した辺部装着部材２６では辺部２４のしわを解消できない場合は、辺部２４に沿って複数箇所に辺部装着部材２６を配置する（対辺側の辺部２４の対向する位置にもそれぞれ辺部装着部材２６を配置する）ことができる。また前記実施の形態ではテンション調整ねじ２２をコーナー部装着部材１８、辺部装着部材２６に直接連結したが、ばね構造を介して連結することにより、該ばね構造の弾性力により防煙シート１２にテンションをかけることもできる。また前記実施の形態では防煙シート１２のコーナー部１６およびフレーム１４のコーナー部２０の頂点を角張らせたが、丸みを持たせてもよい。
【符号の説明】
【００３１】
１０，８６…防煙垂壁、１２…防煙シート、１４…フレーム、１６…防煙シートのコーナー部、１８…コーナー部装着部材、２０…フレームのコーナー部、２２（２２−１，２２−２）…テンション調整ねじ（コーナー部連結部材、ねじ部材）、２４…防煙シートの辺部、２６…辺部装着部材、２８…フレームの辺部、３０…テンション調整ねじ（辺部連結部材）、３２…カバー、３６…受け金具（Ｌ字型部材）、３８…押さえ金具（Ｌ字型部材）、４８，７４…長穴、６０，８０…切欠、Ｃ１，Ｃ２，Ｃ３，Ｃ４…防煙垂壁の第１乃至第４コーナー部、Ｓ１，Ｓ２，Ｓ３，Ｓ４…防煙垂壁の第１乃至第４辺部
【図１】
2014000328.tif 000003
【図２】
2014000328.tif 000004
【図３】
2014000328.tif 000005
【図４】
2014000328.tif 000006
【図５】
2014000328.tif 000007
【図６】
2014000328.tif 000008
【図７】
2014000328.tif 000009
【図８】
2014000328.tif 000010
【図９】
2014000328.tif 000011
【図１０】
2014000328.tif 000012
【図１１】
2014000328.tif 000013